(57)【特許請求の範囲】
【請求項１】
プレスキャンを行って読取条件を決定し、この読取条件に応じて出力用の画像データを得るための本スキャンを行って、フィルムに撮影された画像を光電的に読み取る読取部と、前記読取部が読み取った画像データに画像処理を施して、出力用の画像データとする画像処理部と、前記画像処理部が出力用の画像データを出力した各コマの、前記本スキャンの読取条件および画像処理の情報、ならびに本スキャンで得られた画像データの特性値を記憶する記憶手段とを有し、
前記記憶手段に読取条件、画像処理の情報、および画像データの特性値が記憶されているコマを再処理する際には、前記読取部は、記憶されている読取条件に応じて本スキャンのみを行い、前記画像処理部は、記憶されている画像処理の情報から先の処理に対応する画像処理条件を設定して、さらに、先の処理の特性値と再処理の本スキャンで得られた画像データの特性値とから両者の差を相殺する画像データの補正条件を設定して、再処理の本スキャンで得られた画像データに、この画像処理条件および補正条件に応じた画像処理を行うことを特徴とする画像処理装置。
【請求項２】
前記特性値が、濃度平均値、濃度累積ヒストグラム、濃度累積ヒストグラムの所定の頻度パーセント濃度点、最高濃度、最低濃度から選択される１以上である請求項１に記載の画像処理装置。
【請求項３】
前記画像処理の情報が、施した画像処理の種類、画像処理の順序、各画像処理の画像処理条件を含む請求項１または２に記載の画像処理装置。
【発明の詳細な説明】
【０００１】
【発明の属する技術分野】
本発明は、フィルムに撮影された画像を光電的に読み取り、出力用の画像データとする画像処理の技術分野に属する。
【０００２】
【従来の技術】
現在、ネガフィルム、リバーサルフィルム等の写真フィルム（以下、フィルムとする）に撮影された画像の感光材料（印画紙）への焼き付けは、フィルムの画像を感光材料に投影して感光材料を面露光する、いわゆる直接露光（アナログ露光）が主流である。
【０００３】
これに対し、近年では、デジタル露光を利用する焼付装置、すなわち、フィルムに記録された画像を光電的に読み取って、読み取った画像をデジタル信号とした後、種々の画像処理を施して記録用の画像データとし、この画像データに応じて変調した記録光によって感光材料を走査露光して画像（潜像）を記録し、（仕上り）プリントとするデジタルフォトプリンタが実用化された。
【０００４】
デジタルフォトプリンタでは、画像をデジタルの画像データとして、画像データ処理によって焼付時の露光条件を決定することができるので、逆光やストロボ撮影等に起因する画像の飛びやツブレの補正、シャープネス（鮮鋭化）処理、カラーあるいは濃度フェリアの補正等を好適に行って、従来の直接露光では得られなかった高品位なプリントを得ることができる。また、複数画像の合成や画像分割、さらには文字の合成等も画像データ処理によって行うことができ、用途に応じて自由に編集／処理したプリントも出力可能である。
しかも、デジタルフォトプリンタによれば、画像をプリント（写真）として出力するのみならず、画像データをコンピュータ等に供給したり、フロッピーディスク等の記録媒体に保存しておくこともできるので、画像データを、写真以外の様々な用途に利用することができる。
【０００５】
このようなデジタルフォトプリンタは、基本的に、フィルムに読取光を入射して、その投影光を読み取ることによって、フィルムに記録された画像を光電的に読み取るスキャナ（画像読取装置）と、スキャナによって読み取られた画像データやデジタルカメラ等から供給された画像データに所定の画像処理を施し、画像記録のための画像データすなわち露光条件とする画像処理装置と、画像処理装置から出力された画像データに応じて、例えば光ビーム走査によって感光材料を走査露光して潜像を記録するプリンタ（画像記録装置）と、プリンタによって露光された感光材料に現像処理を施して、画像が再生された（仕上り）プリントとするプロセサ（現像装置）とを有して構成される。
【０００６】
【発明が解決しようとする課題】
ところで、フィルムを用いたプリントでは、焼き増し等の依頼に応じて、一度プリントを作成したコマを再度プリントする、いわゆる再プリントの依頼を受けることも多い。この場合には、先のプリント（通常は、同時プリントの際に出力されたプリント）と、再プリントとで、プリントに再現された画像の色や濃度が一致していることが要求される。
ところが、プリントシステムの違いやオペレータの判断や操作の違い等によって、前回のプリントと再プリントとで画像の色や濃度が異なってしまう場合も多々あり、顧客からの苦情も多い。
【０００７】
本発明の目的は、前記従来技術の問題点を解決することにあり、写真フィルムに撮影された画像プリントを出力するデジタルフォトプリンタにおいて、焼き増しの依頼等に応じて出力される再プリントの際に、先のプリントの画像と色や濃度が同様の画像を再現することが可能で、しかも操作も簡易で迅速に処理を行うことができる画像処理装置を提供することにある。
【０００８】
【課題を解決するための手段】
前記目的を達成するために、本発明の画像処理装置は、プレスキャンを行って読取条件を決定し、この読取条件に応じて出力用の画像データを得るための本スキャンを行って、フィルムに撮影された画像を光電的に読み取る読取部と、前記読取部が読み取った画像データに画像処理を施して、出力用の画像データとする画像処理部と、前記画像処理部が出力用の画像データを出力した各コマの、前記本スキャンの読取条件および画像処理の情報、ならびに本スキャンで得られた画像データの特性値を記憶する記憶手段とを有し、前記記憶手段に読取条件、画像処理の情報、および画像データの特性値が記憶されているコマを再処理する際には、前記読取部は、記憶されている読取条件に応じて本スキャンのみを行い、前記画像処理部は、記憶されている画像処理の情報から先の処理に対応する画像処理条件を設定して、さらに、先の処理の特性値と再処理の本スキャンで得られた画像データの特性値とから両者の差を相殺する画像データの補正条件を設定して、再処理の本スキャンで得られた画像データに、この画像処理条件および補正条件に応じた画像処理を行うことを特徴とする画像処理装置を提供する。
【０００９】
また、前記本発明において、前記特性値が、濃度平均値、濃度累積ヒストグラム、濃度累積ヒストグラムの所定の頻度パーセント濃度点、最高濃度、最低濃度から選択される１以上であるのが好ましく、前記画像処理の情報が、施した画像処理の種類、画像処理の順序、各画像処理の画像処理条件を含むのが好ましい。
【００１０】
【発明の実施の形態】
以下、本発明の画像処理装置について、添付の図面に示される好適実施例を基に詳細に説明する。
【００１１】
図１に、本発明にかかるデジタルフォトプリンタの一例のブロック図が示される。
図１に示されるデジタルフォトプリンタ（以下、フォトプリンタ１０とする）は、基本的に、フィルムＦに撮影された画像を光電的に読み取るスキャナ（画像読取装置）１２と、読み取られた画像データ（画像情報）の画像処理やフォトプリンタ１０全体の操作および制御等を行う画像処理装置１４と、画像処理装置１４から出力された画像データに応じて変調した光ビームで感光材料（印画紙）を画像露光し、現像処理して（仕上り）プリントとして出力するプリンタ１６とを有して構成される。このスキャナ１２と画像処理装置１４は、本発明にかかるものである。
また、画像処理装置１４には、様々な条件の入力（設定）、処理の選択や指示、色／濃度補正などの指示等を入力するためのキーボード１８ａおよびマウス１８ｂを有する操作系１８と、スキャナ１２で読み取られた画像、各種の操作指示、条件の設定／登録画面等を表示するディスプレイ２０が接続される。
【００１２】
スキャナ１２は、フィルムＦ等に撮影された画像を１コマずつ光電的に読み取る装置で、光源２２と、可変絞り２４と、フィルムＦに入射する読取光をフィルムＦの面方向で均一にする拡散ボックス２８と、結像レンズユニット３２と、Ｒ（赤）、Ｇ（緑）およびＢ（青）の各画像読取に対応するラインＣＣＤセンサを有するイメージセンサ３４と、アンプ（増幅器）３６と、Ａ／Ｄ（アナログ／デジタル）変換器３８とを有して構成される。
【００１３】
また、フォトプリンタ１０においては、新写真システム(Advanced Photo System）や１３５サイズのネガ（あるいはリバーサル）フィルム等のフィルムの種類やサイズ、ストリップスやスライド等のフィルムの形態等に応じて、スキャナ１２の本体に装着自在な専用のキャリアが用意されており、キャリアを交換することにより、各種のフィルムや処理に対応することができる。フィルムに撮影され、プリント作成に供される画像（コマ）は、このキャリアによって所定の読取位置に搬送される。
このようなスキャナ１２において、フィルムＦに撮影された画像を読み取る際には、光源２２から射出され、可変絞り２４によって光量調整された読取光が、キャリアによって所定の読取位置に位置されたフィルムＦに入射して、透過することにより、フィルムＦに撮影された画像を担持する投影光を得る。
【００１４】
キャリア３０は、図２（Ａ）に示されるように、所定の読取位置にフィルムＦを位置しつつ、イメージセンサ３４のラインＣＣＤセンサの延在方向（主走査方向）と直交する副走査方向に、フィルムＦの長手方向を一致して搬送する、読取位置を副走査方向に挟んで配置される搬送ローラ対３０ａおよび３０ｂと、フィルムＦの投影光を所定のスリット状に規制する、読取位置に対応して位置する主走査方向に延在するスリット４０ａを有するマスク４０とを有する。
フィルムＦは、このキャリア３０によって読取位置に位置されて副走査方向に搬送されつつ、読取光を入射される。これにより、結果的にフィルムＦが主走査方向に延在するスリット４０ａによって２次元的にスリット走査され、フィルムＦに撮影された各コマの画像が読み取られる。
【００１５】
新写真システムのフィルムには、磁気記録媒体が形成されており、新写真システムのフィルム（カートリッジ）に対応するキャリアには、この磁気記録媒体に記録された情報を読み取り、また、必要な情報を記録する磁気ヘッド４２が配置されている。フィルムの磁気記録媒体に記録された情報は、キャリア３０の磁気ヘッド４２で読み取られて、スキャナ１２本体から画像処理装置１４等の必要な部位に送られ、あるいは、画像処理装置１４等からの情報が、スキャナ１２本体からキャリア３０に転送され、磁気ヘッド４２によってフィルムＦの磁気記録媒体に記録される。
また、図中符号４４は、フィルムに光学的に記録されるＤＸコード、拡張ＤＸコード、ＦＮＳコード等のバーコードや、フィルムに光学的に記録された各種の情報を読み取るためのコードリーダである。コードリーダ４４で読み取られた各種の情報が画像処理装置１４等の必要な部位に送られる。
【００１６】
前述のように、読取光はキャリア３０に保持されたフィルムＦを透過して画像を担持する投影光となり、この投影光は、結像レンズユニット３２によってイメージセンサ３４の受光面に結像される。
図２（Ｂ）に示されるように、イメージセンサ３４は、Ｒ画像の読み取りを行うラインＣＣＤセンサ３４Ｒ、Ｇ画像の読み取りを行うラインＣＣＤセンサ３４Ｇ、およびＢ画像の読み取りを行うラインＣＣＤセンサ３４Ｂを有する、いわゆる３ラインのカラーＣＣＤセンサで、各ラインＣＣＤセンサは、前述のように主走査方向に延在している。フィルムＦの投影光は、このイメージセンサ３４によって、Ｒ、ＧおよびＢの３原色に分解されて光電的に読み取られる。
イメージセンサ３４の出力信号は、アンプ３６で増幅され、Ａ／Ｄ変換器３８でデジタル信号とされて、画像処理装置１４に送られる。
【００１７】
スキャナ１２においては、同時プリントなどで、後述する記憶手段７８に本スキャンの読取条件および画像処理の情報が記憶されていないコマのプリント作成を行う場合には、フィルムＦに撮影された画像の読み取りを、低解像度で読み取るプレスキャンと、出力画像の画像データを得るための本スキャンとの、２回の画像読取で行い、再プリントなどで、記憶手段７８に本スキャンの読取条件等が記憶されているコマのプリント作成を行う場合には、本スキャンのみを行う。この点に関しては、後に詳述する。
プレスキャンは、スキャナ１２が対象とする全てのフィルムの画像を、イメージセンサ３４が飽和することなく読み取れるように、予め設定された、プレスキャンの読取条件で行われる。一方、本スキャンは、プレスキャンデータから、その画像（コマ）の最低濃度よりも若干低い濃度でイメージセンサ３４が飽和するように、各コマ毎に設定された本スキャンの読取条件で行われる。従って、プレスキャンと本スキャンの出力信号は、解像度と出力レベルが異なる。
【００１８】
なお、本発明において、スキャナは、このようなスリット走査によるものに限定はされず、１コマの画像の全面を一度に読み取る、面露光を利用するものであってもよい。この場合には、例えば、エリアＣＣＤセンサを用い、光源とフィルムＦとの間に、Ｒ、ＧおよびＢの各色フィルタの挿入手段を設け、色フィルタを挿入してエリアＣＣＤセンサで画像を読み取ることを、Ｒ、ＧおよびＢの各色フィルタで順次行い、フィルムに撮影された画像を３原色に分解して順次行う。
【００１９】
前述のように、スキャナ１２からの出力信号（画像データ）は、画像処理装置１４に出力される。
図３に、画像処理装置１４のブロック図を示す。図３に示されるように、画像処理装置１４（以下、処理装置１４とする）は、データ処理部４６、Ｌｏｇ変換器４８、プレスキャン（フレーム）メモリ５０、本スキャン（フレーム）メモリ５２、プレスキャン処理部５４、本スキャン処理部５６、および条件設定部５８を有して構成される。
なお、図３は、主に画像処理関連の部位を示すものであり、画像処理装置１４には、これ以外にも、画像処理装置１４を含むフォトプリンタ１０全体の制御や管理を行うＣＰＵ、フォトプリンタ１０の作動等に必要な情報を記憶するメモリ、可変絞り２４の絞り値やＣＣＤセンサ３４の蓄積時間を決定する手段等が配置され、また、操作系１８やディスプレイ２０は、このＣＰＵ等（ＣＰＵバス）を介して各部位に接続される。
【００２０】
スキャナ１２から出力されたＲ，ＧおよびＢの各出力信号は、まず、データ処理部４６において、ＤＣオフセット補正、暗時補正、シェーディング補正等の所定の処理を施され、Ｌｏｇ変換器４８で変換されてデジタルの画像データとされて、プレスキャン（画像）データはプレスキャンメモリ５０に、本スキャン（画像）データは本スキャンメモリ５２に、それぞれ記憶（格納）される。
【００２１】
プレスキャンメモリ５０に記憶されたプレスキャンデータは、画像処理部６２および信号変換部６４を有して構成されるプレスキャン処理部５４において、他方、本スキャンメモリ５２に記憶された本スキャンデータは、データ補正部６０、画像処理部６６および信号変換部６８を有して構成される本スキャン処理部５６において、それぞれ処理される。
【００２２】
データ補正部６０は、好ましい態様として配置されるものであり、後述する記憶手段７８に情報が記憶されていないコマのプリント作成（通常は、いわゆる同時プリントであるので、以下、これを同時プリントとし、これ以外を再プリントとする）の際には、何ら作用せず、再プリントの際には、後述する補正条件に応じて再プリントの本スキャンデータを補正して、同時プリントと再プリントの本スキャンデータの特性値の差を無くすものである。このデータ補正部６０を有することにより、経時等によるスキャナ１２の状態変動によらず、同時プリントと再プリントの画像を、より安定して一致させることができる。
データ補正部６０による補正条件は、後述する条件設定部５８で設定される。また、同時プリントの際には、バイパスして画像データを画像処理部６６に送るようにしてもよい。
【００２３】
プレスキャン処理部５４の画像処理部６２（以下、処理部６２とする）と、本スキャン処理部５６の画像処理部６６（以下、処理部６６とする）は、共に、後に詳述する条件設定部５８が設定した画像処理条件に応じて、スキャナ１２によって読み取られた画像（画像データ）に所定の画像処理を施す部位である。両者は、画像データの画素密度が異なる以外には、基本的に同じ処理を行う。
処理部６２および処理部６６における画像処理としては、グレイバランス調整、コントラスト補正（階調処理）、濃度補正、彩度調整、像面歪曲等の幾何学歪補正、周辺光量補正、シャープネス（鮮鋭化）処理、覆い焼き処理、ソフトフォーカス仕上げ等の特殊仕上げ、電子変倍処理等の公知の各種の画像処理の１以上が例示される。
【００２４】
これらの各補正は、公知の方法で行えばよく、演算処理、ＬＵＴ（ルックアップテーブル）による処理、マトリクス（ＭＴＸ）演算、ローパスフィルタ（ＬＰＦ）による処理等を適宜組み合わせて行われる。
一例を挙げれば、グレイバランス調整、濃度補正およびコントラスト補正は、共に、ハイライト（最低濃度）やシャドー（最高濃度）、平均濃度等の画像特徴量に応じて作成されるＬＵＴを用いる方法が例示される。なお、これらの補正テーブルは、通常、Ｒ、ＧおよびＢの各色毎に作成される。
彩度調整は、ＭＴＸ演算を用いて行う方法が例示される。
シャープネス処理は、ＬＰＦを用いて画像を周波数成分で分け、中・高周波数成分から得られた輝度信号にシャープネスゲイン（鮮鋭度補正係数）を乗算して、得られた輝度情報を低周波数成分に加算する方法が例示される。
覆い焼き処理は、画像データを変換した輝度信号やフィルタ処理によってボケ画像（データ）を生成し、このボケ画像を用いてＬＵＴ等を作成して、このＬＵＴ等で処理した画像データで、高濃度領域および低濃度領域を圧縮もしくは伸長することにより、中間階調を保持して原画像のダイナミックレンジを圧縮／伸長して、直接露光における覆い焼きの効果を付与する方法が例示される（特開平９−１８７０４号、同９−１８２０９３号の各公報等参照）。
幾何学歪補正および周辺光量補正は、レンズ性能に起因する画像周辺部の画像歪や光量低下を補正で、画素位置に対する画像の歪や光量低下を示す関数式を用い、画素位置を補正し、また、周辺光量低下分の濃度補正を行う方法が例示される。なお、この関数式は、通常、Ｒ、ＧおよびＢの各色毎に作成される。
【００２５】
プレスキャン処理部５４の信号変換部６４は、処理部６２によって処理された画像データを、３Ｄ−ＬＵＴ等を用いて変換して、ディスプレイ２０による表示に対応する画像データにする部位である。
他方、本スキャン処理部５６の信号変換部６８は、処理部６６によって処理された画像データを、３Ｄ−ＬＵＴ等を用いて、プリンタ１６による画像記録に対応する画像データに変換し、プリンタ１６に供給する部位である。
これらの処理条件も、条件設定部５８で設定される。
【００２６】
プレスキャン処理部５４および本スキャン処理部５６における画像処理条件は、条件設定部５８によって設定される。この条件設定部５８は、セットアップ部７０、識別情報取得部７２、キー補正部７４およびパラメータ統合部７６を有して構成される。
また、パラメータ統合部７６には、プリントを作成したコマ（画像）の、各コマを識別する識別情報と、各コマの同時プリントの際の、本スキャンの読取条件、本スキャンデータの特性値および画像処理の情報（以下、まとめて同時プリントの情報とする）とを、対応付けて記憶する記憶手段７８が接続されている。
【００２７】
セットアップ部７０は、本スキャンの読取条件、プレスキャン処理部５４および本スキャン処理部５６における画像処理を設定する。
【００２８】
具体的には、同時プリントの際には、セットアップ部７０は、プレスキャンデータから、濃度累積ヒストグラムの作成、平均濃度、濃度累積ヒストグラムの所定の頻度％濃度点（複数でも可）、ハイライト（最低濃度）やシャドー（最高濃度）、ＬＡＴＤ（大面積透過濃度）、濃度累積ヒストグラムの極大値および極小値等の画像特徴量の算出を行う。
次いで、算出した画像特徴量を用い、その画像の最低濃度よりも若干低い濃度でイメージセンサ３４の出力が飽和するような読取条件、図示例においては、可変絞り２４の絞り値やイメージセンサ３４の各ラインＣＣＤセンサの蓄積時間を設定し、本スキャンの読取条件として、スキャナ１２およびパラメータ統合部７６に供給する。読取条件としては、これ以外にも、スキャナ１２が読取光の色成分調整用の色フィルタ等を有する場合には、その挿入量等が例示される。
また、算出した画像特徴量およびオペレータによって入力された調整指示等に応じて、前述の各種の画像処理から、実行する画像処理ならびに実行順序を決定し、さらに、その画像処理条件を決定し、パラメータ統合部７６に供給する。
【００２９】
さらに、図示例の装置においては、好ましい態様として、本スキャンデータが本スキャンメモリ５２に記憶されると、セットアップ部７０が本スキャンデータを読み出し、その特性値を算出する。この特性値は、同時プリントの際には、パラメータ統合部７６に供給される。
なお、本スキャンデータの特性値（以下、特性値とする）としては、濃度平均値、濃度累積ヒストグラム、濃度累積ヒストグラムの所定の頻度パーセント（％）濃度点（複数でも可）、ハイライトやシャドー等の１以上が例示される。これらは、必要に応じて、Ｒ、ＧおよびＢの各画像データ毎に算出される。
【００３０】
他方、再プリントの際には、セットアップ部７０は、パラメータ統合部７６が記憶手段７８から読み出した、再プリントを作成するコマの同時プリントの情報、およびプレスキャンデータ（濃度ヒストグラムや画像特徴量）を用いて、本スキャンの読取条件および画像処理、さらにはデータ補正部６０での補正条件を設定し、パラメータ統合部７６やスキャナ１２に供給する。
ここで、再プリントの際は、読取条件および画像処理は、基本的に、同時プリントの際の本スキャンの読取条件および画像処理を再現する。
さらに、セットアップ部７０は、再プリントの際にも特性値を算出して、これと、再プリントを作成するコマの同時プリントの特性値とを解析して、データ補正部６０による補正後の再プリントの特性値を、同時プリントの特性値と一致させるための、再プリントの本スキャンデータの補正条件を設定する。
【００３１】
この補正条件としては、例えば、特性値として、Ｒ、ＧおよびＢの濃度平均値を用い、同時プリントと再プリントの濃度平均値の差分だけ、濃度をシフトする補正条件、例えばＬＵＴが例示される。
ＬＵＴ[RGB][j]＝ｊ＋ΔＤ[RGB]
ΔＤ[RGB] ＝同時プリント濃度平均値[RGB] −再プリント濃度平均値[RGB]
別の例として、特性値として、Ｒ、ＧおよびＢのハイライトとシャドー（あるいは、濃度累積ヒストグラムの所定の頻度％濃度の２点）を用い、同時プリントと再プリントとで、ハイライトとシャドーを合わせる１次線形変換を行う補正条件が例示される。
【００３２】
キー補正部７４は、操作系１８のキーボード１８ａやマウス１８ｂから入力された色調整、濃度調整、コントラスト（階調）調整等の指示に応じて、画像処理条件の調整量を算出し、パラメータ統合部７６に供給するものである。
例えば、操作系１８からの色調整の入力があった場合には、キー補正部７４で入力に応じた補正量が算出され、パラメータ統合部７６によって、この補正量に応じてグレイバランスの調整テーブルが補正され、また、濃度調整の入力があると、同様に濃度補正のテーブルが調整され、さらに、コントラスト調整の入力があると、同様にコントラストの補正テーブルが調整される。
【００３３】
パラメータ統合部７６は、セットアップ部７０が設定した画像処理条件を受け取り、供給された画像処理条件をプレスキャン処理部５４の処理部６２および本スキャン処理部５６の処理部６６に設定し、さらに、キー補正部７４で算出された調整量等に応じて、各部位に設定された画像処理条件を調整する。
また、パラメータ統合部７６は、同時プリントの際には、識別情報取得部７２が取得した各コマの識別情報、ならびに、セットアップ部７０から供給された各コマの本スキャンの読取条件および同時プリントの情報を記憶手段７８に送り、再プリントの際には、識別情報取得部７２が取得したコマの識別情報に応じて、そのコマの同時プリントの情報を記憶手段７８から読み出す。
【００３４】
識別情報取得部７２は、プリント作成の際に、プリントするコマを識別する識別情報を取得し、それをパラメータ統合部７６に供給する部位である。
フィルムＦの各コマを識別するためには、フィルムＦ本体の判別手段と、そのフィルムの各コマのコマ番号の情報とが必要であり、識別情報は、例えば、フィルムＦ本体の識別情報と、コマ番号とから構成される。
識別情報取得部７２は、同時プリント時および再プリント時に、この識別情報を、フィルムの種類やラボ業者の管理体制等に応じた各種の方法で取得する。
【００３５】
例えば、フィルムＦが前述の新写真システムのフィルム（カートリッジ）である場合には、カートリッジのＩＤ番号および各コマのコマ番号がフィルムの磁気記録媒体に磁気情報として記録されているので、カートリッジのＩＤ番号をフィルムの識別番号として、識別情報取得部７２は、スキャナ１２（装着されたキャリア３０の磁気ヘッド４２）によって読み取られ、転送された磁気情報から、プリントするコマの識別情報を取得する。
あるいは、オペレータがカートリッジに表記されるＩＤ番号を見て、ＩＤ番号やコマ番号をキーボード１８ａ等を用いて入力してもよい。
【００３６】
新写真システム以外の場合には、プリント作成の際等に、日時、顧客、フィルム種等に応じたフィルムＦの識別情報を決定して、これをフィルムＦ（画像領域外）あるいはフィルムＦを収納する袋やケースに記録し、プリント作成時にオペレータが識別情報をキーボード１８ａ等を用いて入力することにより、識別情報取得部７２が識別情報を取得してもよい。
識別情報は、フィルムＦや袋等に直接記載するのではなく、識別情報を記録したラベルを貼着してもよく、あるいは、フィルムＦの識別情報を示すバーコードをラベル貼着しておき、コードリーダで読み取ってもよい。さらに、フィルムＦの識別情報は、現像前のフィルムＦに光学的に記録しておき、現像によって可視像としてコードリーダ４４等で読み取ってもよい。
顧客に返却されるフィルムＦが、６コマ等のネガピースに切断される場合には、各ネガピース毎に識別情報等を記録するのが好ましい。さらに、識別情報の決定およびフィルムＦ等への付与は、識別情報の自動設定手段や、ラベル作成・貼着手段、露光手段等によって、自動的に行うように構成してもよい。
なお、以上の例示は、新写真システムでも利用可能である。
【００３７】
コマ番号は、いずれの場合であっても、フィルムの製造時に各コマに記録されているので、それを用いればよく、あるいは、コマ番号の代わりに、フィルムＦに光学的に記録されるバーコード、ＤＸコード、拡張ＤＸコード等を利用してもよく、識別情報取得部７２は、スキャナ１２（キャリア）によるカウントやフィルムＦに記録されたバーコード読み取り、オペレータによる入力によって、コマ番号を取得すればよい。
【００３８】
記憶手段７８は、前述のコマの識別情報と、そのコマの同時プリントの情報とを、対応付けて記憶するものである。
ここで、同時プリントの情報のうち、本スキャンの読取条件および画像特性値は、前述のとおりであり、記憶する画像処理の情報とは、再プリント時に、同時先のプリントと同じ画像処理を再現するための画像処理の情報であって、例えば、施した画像処理の種類、画像処理の順序、画像処理条件（これを再現するためのパラメータや関連データ等を含む）である。
【００３９】
画像処理条件あるいはこれを再現するためのパラメータや関連データとしては、施す画像処理に応じて、先の画像処理（条件）を再現できる各種の情報、具体的には、画像処理のために作成したＬＵＴや処理演算式、予め定められている画像処理演算式に掛かる係数等が例示される。
【００４０】
例えば、グレイバランス調整、濃度補正およびコントラスト補正は、それぞれ、先のプリント作成で各処理を行ったＬＵＴを記憶すればよい。彩度補正は、先のプリント作成で用いた（以下、省略する）ＭＴＸ演算式を記憶すればよい。シャープネス処理は、シャープネスゲインを記憶すればよい。覆い焼き処理は、ＬＵＴや処理演算を設定して画像データを処理し、処理して得られた画像データを用いてダイナミックレンジを圧縮するので、このＬＵＴあるいは処理演算を記憶すればよい。
幾何学歪補正および周辺光量補正は、画素位置ズレや光量低下を示す関数式を記憶すればよい。なお、関数式を各色毎に作成した場合には、それぞれを記憶すればよい。また、この関数式はフィルムＦ一本は全コマ同じであるので、フィルムＦの情報として記憶してもよい。
さらに、フィルム上の傷を補正した際には傷の位置や傷と置換した背景画素データを、画像や文字を合成した場合には合成した文字や画像のファイル名や合成位置を、顔領域の部分的な修正等を行った場合には修正した領域と色／濃度や形状補正のデータを、縦横比率変更処理を行った場合には縦横の変倍率を、電子変倍を行った際には電子変倍率を、特殊処理を行った場合には、各処理に応じたパラメータを、それぞれ記憶すればよい。
また、必要に応じて、本スキャン処理部５６の信号変換部６８のＬＵＴも記憶してもよく、顔領域等の主要部抽出を行った場合には、顔領域の情報も記憶してもよい。
また、カスケードあるいは合成できるＬＵＴは、カスケードあるいは合成して記憶してもよい。
【００４１】
識別情報および画像処理の情報を記憶する記憶手段７８には特に限定はなく、各種の手段が利用可能である。
例えば、フィルムＦが新写真システムである場合には、前記磁気記録媒体を記憶手段７８として利用してもよい。
フロッピーディスク、光磁気記録媒体、ＩＣカード等の記録媒体を記憶手段７８として用いてもよい。この際には、プリントと共に記録媒体を顧客に渡し、再プリントの際にフィルムＦと共にこの記録媒体を顧客から供給してもらい、フォトプリンタ１０に接続されるドライブ等で読み取る。
ラボ業者（店）が顧客のデータベースを作成している場合には、このデータベースを記憶手段７８としてもよい。なお、一般的に、再プリントの依頼は同時プリントから一か月以内であるので、データベースへの情報の保存期間は、同時プリントから一か月程度とすればよい。
さらに、処理装置１４やラボ業者が所有するパーソナルコンピュータをコンピュータ通信ネットワーク等に接続して、フィルムＦの再プリントの依頼を受けた際に、先のプリントを行った他のラボ業者のデータベースにアクセスして画像処理の情報を得てもよい。
【００４２】
処理装置１４で処理された画像データは、プリンタ１６に送られる。
プリンタ１６は、供給された画像データに応じて感光材料（印画紙）を露光して潜像を記録するプリンタ（焼付装置）と、露光済の感光材料に所定の処理を施してプリントとして出力するプロセサ（現像装置）とを有して構成される。
プリンタでは、例えば、感光材料をプリントに応じた所定長に切断した後に、バックプリントを記録し、次いで、感光材料の分光感度特性に応じたＲ露光、Ｇ露光およびＢ露光の３種の光ビームを処理装置１４から出力された画像データに応じて変調して主走査方向に偏向すると共に、主走査方向と直交する副走査方向に感光材料を搬送することにより、前記光ビームで感光材料を２次元的に走査露光して潜像を記録し、プロセサに供給する。感光材料を受け取ったプロセサは、発色現像、漂白定着、水洗等の所定の湿式現像処理を行い、乾燥してプリントとし、フィルム１本分等の所定単位に仕分して集積する。
【００４３】
以下、フォトプリンタ１０の作用を説明することにより、本発明の画像処理装置について、より詳細に説明する。
【００４４】
まず、同時プリントの場合を説明する。
同時プリントの際には、フィルムＦのプリント作成を依頼されたオペレータは、フィルムＦに応じたキャリアをスキャナ１２の所定位置に装着して、フィルムＦをキャリアの所定位置にセットし、キャリア３０の所定位置にフィルムＦ（カートリッジ）をセットし、作成するプリントサイズ等の必要な指示を入力した後に、プリント作成開始を指示する。
これにより、スキャナ１２の可変絞り２４の絞り値やイメージセンサ（ラインＣＣＤセンサ）３４の蓄積時間がプレスキャンの読取条件に応じて設定され、その後、キャリア３０がフィルムＦをプレスキャンに応じた速度で副走査方向に搬送して、プレスキャンが開始され、前述のように所定の読取位置において、フィルムＦがスリット走査されて投影光がイメージセンサ３４に結像して、フィルムＦに撮影された画像がＲ，ＧおよびＢに分解されて光電的に読み取られる。
【００４５】
なお、プレスキャンおよび本スキャンは、１コマずつ行ってもよく、全コマあるいは所定の複数コマずつ、連続的にプレスキャンおよび本スキャンを行ってもよい。以下の例では、説明を簡潔にするために、１コマの画像読取を例に説明を行う。
【００４６】
ここで、読み取り（プリント作成）に供されるフィルムＦが新写真システムのフィルムである場合には、フィルムＦの搬送の際にキャリア３０の磁気ヘッド４２でフィルムＦに記録された磁気情報が読み取られ、必要な情報が処理装置１４に送られ、磁気情報から読み取られたカートリッジＩＤ番号およびコマ番号が、そのコマ（画像）の識別情報として、識別情報取得部７２に送られる。
他方、通常の１３５サイズのネガフィルム等の場合には、一例として、フィルムＦをキャリア３０に装着する前に、オペレータが、例えば、日付や顧客等に応じてフィルムＦを識別するための識別番号を決定し、識別番号を記載したラベルをフィルムＦの画像領域外に貼着し、また、設定した識別番号をキーボード１８ａによって入力する。コマ番号は、キャリア３０でのカウントやコードリーダ４４で読み取ったバーコードから検知する。
【００４７】
イメージセンサ３４からの出力は、アンプ３６で増幅され、Ａ／Ｄ変換器３８でデジタル信号とされて、処理装置１４に送られ、データ処理部４６でオフセット補正等の所定の処理を施された後、Ｌｏｇ変換器４８で変換されてデジタルの画像データとされ、プレスキャンメモリ５０に記憶される。
【００４８】
プレスキャンメモリ５０にプレスキャンデータが記憶されると、セットアップ部７０がこれを読み出し、前述のように、濃度ヒストグラムの作成や画像特徴量の算出を行い、その結果から、本スキャンの読取条件すなわち図示例では可変絞り２４の絞り値およびイメージセンサ３４のラインＣＣＤセンサの蓄積時間を設定し、スキャナ１２およびパラメータ統合部７６に送る。
セットアップ部７０は、さらに、濃度累積ヒストグラムおよび画像特徴量、オペレータによる指示に応じて、そのコマ（画像）に実行する画像処理を選択し、その順番を決定し、さらに各画像処理の画像処理条件を設定（算出）する。設定された画像処理条件は、パラメータ統合部７６に送られ、プレスキャン処理部５４および本スキャン処理部５６の所定位置（ハードウエア）に設定される。
なお、同時プリントでは、本スキャンデータは、データ補正部６０では何ら処理されないので、例えば、ｘ＝ｙのＬＵＴが設定される。
【００４９】
検定を行う場合には、画像処理条件がプレスキャン処理部５４に設定されると、プレスキャンメモリ５０からプレスキャンデータが読み出され、処理部６２において設定された画像処理条件に応じて画像処理され、次いで、信号変換部６４に供給されてディスプレイ２０での表示に応じた画像データに変換され、プレスキャン画像がディスプレイ２０に表示される。
オペレータは、ディスプレイ２０の表示を見て、画像すなわち処理結果の確認（検定）を行い、必要に応じて、キーボード１８ａに設定された調整キー等を用いて、色、濃度、階調等の調整等を行う。
調整の信号は、キー補正部７４に送られ、キー補正部７４は入力に応じた画像処理条件の補正量を算出し、これをパラメータ統合部７６におくる。パラメータ統合部７６は、送られた補正量に応じて、前述のように、処理部６２および処理部６６に設定した画像処理条件を補正する。従って、オペレータによる入力に応じて、ディスプレイ２０に表示される画像も変化する。
【００５０】
オペレータは、ディスプレイ２０に表示される画像が適正である判定（検定ＯＫ）すると、キーボード１８ａ等を用いて、その旨を指示する。
これにより、画像処理条件が確定し、本例では、本スキャンが開始され、スキャナ１２において可変絞り２４の絞り値等が設定された本スキャンの読取条件に設定されると共に、キャリア３０が本スキャンに対応する速度でフィルムＦを搬送し、本スキャンが開始される。
なお、検定を行わない場合には、パラメータ統合部７６による本スキャン処理部５６への画像処理条件の設定を終了した時点で画像処理条件が確定し、本スキャンが開始される。このような検定の有無は、モードとして選択可能にするのが好ましい。
【００５１】
本スキャンは、可変絞り２４の絞り値等の読取条件が設定された本スキャンの読取条件となる以外はプレスキャンと同様に行われ、イメージセンサ３４からの出力信号はアンプ３６で増幅されて、Ａ／Ｄ変換器３８でデジタル信号とされ、処理装置１４のデータ処理部４８で処理されて、Ｌｏｇ変換器５０で本スキャンデータとされ、本スキャンメモリ５２に送られる。
本スキャンデータが本スキャンメモリ５２に送られると、本スキャン処理部５８によって読み出され、処理部６６において確定した画像処理条件で画像処理され、次いで、信号変換部６８で変換されて出力用の画像データとされ、プリンタ１６に出力され、この画像データを再生したプリントが作成される。
【００５２】
また、本スキャンデータが本スキャンメモリ５２に送られると、セットアップ部７０も本スキャンデータを読み出し、その特性値、例えば、Ｒ、ＧおよびＢの濃度平均値を特性値として算出し、パラメータ統合部７６に送る。
パラメータ統合部７６は、この特性値を受け取ると、識別情報取得部７２からコマ番号とフィルムの識別番号すなわちそのコマの識別情報を受取る。次いで、先にセットアップ部７０から供給された本スキャンの読取条件、確定した画像処理条件に対応する画像処理の情報（実行する画像処理および順序、画像処理条件等）および本スキャンデータの特性値、すなわち同時プリントの情報と、コマの識別情報とを対応させ、両者を記憶手段７８に送り、記憶させる。
【００５３】
なお、本発明のプリントシステムにおいて、記憶手段７８に同時プリントの情報とコマの識別情報を記憶するのは同時プリントの際の画像処理の情報に限定はされず、例えば、顧客が同時プリントの画像に不満を持ち、色／濃度処理等を指示して再プリントを依頼した場合や、画像処理の情報を記憶していないコマのプリントの際には、この際の本スキャンの読取条件や確定した画像処理の情報等を同時プリントの情報として保存してもよい。
【００５４】
一方、フォトプリンタ１０において、再プリントは、基本的に下記のようにして行われる。
オペレータが、依頼を受けたフィルムＦに応じたキャリアをスキャナ１２に装填し、フィルムＦをキャリアに装着して、キーボード１８ａ等を用いて、再プリントである旨の入力、再プリントするコマ、プリントサイズなどのプリント条件等の必要な情報を入力し、プリント開始を指示する。
これにより、キャリア３０がフィルムＦを搬送し、再プリントするコマが読取位置に搬送される。
【００５５】
なお、本発明においては、オペレータが同時プリントや再プリントである旨の指示を入力するのに限定はされず、例えば、後述するように識別情報取得部７２が取得したコマの識別情報を用いて、記憶手段７８で対応する同時プリントの情報の有無を検索し、同時プリントの情報がない場合には、前記同時プリントと同様の処理を行い、同時プリントの情報がある場合には、以下に示す、再プリントと同様の処理を行うようにしてもよい。
【００５６】
フィルムＦが新写真システムのフィルムである場合には、この搬送によって、キャリア３０の磁気ヘッド４２がフィルムＦの磁気記録媒体に記録されている磁気情報を読み取り、必要な情報が処理装置１４に送られ、識別情報取得部７２が再プリントするコマの識別情報、すなわち、フィルムＦの識別番号（カートリッジのＩＤ番号）と読み取り位置に搬送されたコマのコマ番号を取得する。
他方、フィルムＦが通常の１３５サイズのネガフィルム等である場合には、オペレータが、前述のようにフィルムＦの記載や貼着されているラベルを見て、キーボード１８ａ等で入力することにより、識別情報取得部７２がフィルムの識別番号を取得し、また、オペレータによる再プリントするコマの指示によって、コマ番号を取得する。
【００５７】
識別情報取得部７２が再プリントするコマの識別情報を取得すると、パラメータ統合部７６は、識別情報取得部７２から再プリントするコマの識別情報を受取り、この識別情報に対応する同時プリントの情報を記憶手段７８から読み出し、セットアップ部７０に送る。
セットアップ部７０は、この同時プリントの情報から、まず、本スキャンの読取条件および画像処理（実行する画像処理および順序、画像処理条件）を同時プリントと同様に再現して、読取条件をスキャナ１２ヘ、画像処理条件等をパラメータ統合部７６に送る。また、パラメータ統合部７６は、画像処理条件等を本スキャン処理部５６の所定位置に設定する。
なお、同時プリントと再プリントとで、プリントサイズが異なる場合には、シャープネス処理のシャープネスゲインをプリントサイズに応じて変更する等、像構造に関する画像処理の条件を、プリントサイズに応じて、同時プリントに相当するものとなるように変更してもよい。
【００５８】
本発明において、再プリントの場合にはプレスキャンは行わず、これにより本スキャンが開始される。
本スキャンは、基本的に同時プリントと同様に行われ、スキャナ１２は、供給された本スキャンの読取条件の基、イメージセンサ３４からの出力信号はアンプ３６で増幅されて、Ａ／Ｄ変換器３８でデジタル信号とされ、処理装置１４のデータ処理部４８で処理されて、Ｌｏｇ変換器５０で本スキャンデータとされ、本スキャンメモリ５２に送られ、記憶される。
【００５９】
本スキャンデータが本スキャンメモリ５２に記憶されると、セットアップ部７０が読み出し、特性値（Ｒ、ＧおよびＢの濃度平均値）を算出する。
セットアップ部７０は、再プリントの特性値と、同時プリントの情報より得られる同時プリントの特性値とを解析して、補正後の再プリントの特性値が同時プリントの特性値と一致するような補正条件、例えば、前述のように、同時プリントと再プリントの濃度平均値の差分だけ、濃度をシフトする補正ＬＵＴを作成し、パラメータ統合部７６に送る。パラメータ統合部７６は、この補正ＬＵＴを本スキャン処理部５６のデータ補正部６０に設定する。
【００６０】
補正ＬＵＴがデータ補正部６０に設定されると、本スキャンメモリ５２から本スキャンデータが読み出され、データ補正部６０で補正ＬＵＴで処理され、処理部６６において設定された処理条件で処理され、信号変換部６８において変換されたて出力用の画像データとされ、プリンタ１６に出力され、これを再現したプリントが出力される。
【００６１】
この再プリントで再現された画像は、同時プリントの際と同じ読取条件で本スキャンを行い、同じ画像処理を、同じ画像処理条件で施された画像であるので、同時プリントの画像と、色や濃度が好適に一致した画像である。また、本例においては、本スキャンデータは、データ補正部６０で、特性値に応じた補正を施されているので、スキャナ１２の経時的な変動等も吸収して、より安定的に同時プリントと画像が一致した再プリントが得られる。
しかも、本発明によれば、再プリントの際は、プレスキャンを省略できるので、簡易な操作で、迅速かつ高効率に再プリントの作成を行い、フォトプリンタ１０の生産性を向上することができる。
【００６２】
なお、データ補正部６０がない場合には、本スキャンメモリ５２に本スキャンデータが記憶された時点で、本スキャン処理部５６の処理部６６によって本スキャンデータが読み出され、処理部６６および信号変換部６８で処理されて、出力用の画像データとしてプリンタ１６に出力される。
【００６３】
また、出力用の画像データは、プリンタ１６のみならず、フロッピーディスク、ＭＯディスク（磁気記録ディスク）、ＣＤ−Ｒ等の各種の記憶媒体に出力して、画像ファイルとしてもよい。
【００６４】
以上、本発明の画像処理装置について詳細に説明したが、本発明は上記実施例に限定はされず、本発明の要旨を逸脱しない範囲において、各種の改良および変更を行ってもよいのはもちろんである。
【００６５】
【発明の効果】
以上、詳細に説明したように、本発明によれば、同時プリントに再現された画像と、色や濃度が好適に一致する画像が再現された再プリントを、安定して、しかも簡易な操作で迅速に出力することができる。
【図面の簡単な説明】
【図１】  本発明の画像処理装置を利用するデジタルフォトプリンタの一例のブロック図である。
【図２】  （Ａ）は図１に示されるデジタルフォトプリンタに装填されるスキャナの概念図を、（Ｂ）は図１に示されるデジタルフォトプリンタに配置されるイメージセンサの概念図を、それぞれ示す。
【図３】  図１に示されるデジタルフォトプリンタの画像処理装置の一例のブロック図である。
【符号の説明】
１０  （デジタル）フォトプリンタ
１２  スキャナ
１４  画像処理装置
１６  プリンタ
１８  操作系
２０  ディスプレイ
２２  光源
２４  可変絞り
２８  拡散ボックス
３０  キャリア
３２  結像レンズユニット
３４  イメージセンサ
３６  アンプ
３８  Ａ／Ｄ変換器
４２  磁気ヘッド
４４  コードリーダ
４６  データ処理部
４８  Ｌｏｇ変換器
５０  プレスキャン（フレーム）メモリ
５２  本スキャン（フレーム）メモリ
５４  プレスキャン処理部
５６  本スキャン処理部
５８  条件設定部
６０  データ補正部
６２，６６  （画像）処理部
６４，６８  信号変換部
７０  セットアップ部
７２  識別情報取得部
７４  キー補正部
７６  パラメータ統合部
７８  記憶手段
【図１】
0003894250.tif 000002
【図２】
0003894250.tif 000003
【図３】
0003894250.tif 000004